(57)【要約】【課題】本願発明は、加湿空気量を増やし、騒音を低減することができる加湿器を提供することを目的とする。【解決手段】水タンクと、吹出口と、送風ファンと、ファンモータと、ヒーターと、回転フィルターと、フィルターモータを有する加湿器において、上から前記吹出口、前記送風ファン、前記ヒーター及び前記回転フィルターの順にし、前記送風ファン及び前記回転フィルターの回転軸を平行にし、前記吹出口、前記送風ファン、前記ヒーター及び前記回転フィルターのそれぞれの中心を、略同一面上にする加湿器。【選択図】図６
2009264616.tif 000002
【特許請求の範囲】
【請求項１】
水タンクと、吹出口と、送風ファンと、ファンモータと、ヒーターと、回転フィルターと、フィルターモータを有する加湿器において、
上から前記吹出口、前記送風ファン、前記ヒーター及び前記回転フィルターの順に配置し、
前記送風ファン及び前記回転フィルターの回転軸を平行にし、
前記吹出口と、前記送風ファンの排出口と、前記ヒーターの排出口と、前記回転フィルターの排出口との中心を、略同一面上にすることを特徴とする加湿器。
【請求項２】
ン前記送風ファは、同一回転軸上に設けられるダブルシロッコファンであることを特徴とする請求項１に記載の加湿器。
【請求項３】
前記ヒーターの排出口幅、前記回転フィルターの排出口幅及び前記吹出口幅を同じにするか、または記載される順に大きくすることを特徴とする請求項１または２に記載の加湿器。
【請求項４】
前記回転フィルターは複数の円盤状平板を隙間を有して並設してなり、前記隙間にブラシを挿入することを特徴とする請求項１ないし３のいずれか一に記載の加湿器。
【発明の詳細な説明】
【技術分野】
【０００１】
本願発明は、加湿効率を高め、且つ騒音を低減してなる回転フィルターを有する加湿器に関するものである。
【背景技術】
【０００２】
現在加湿器としては、気化式フィルターとファンとからなるもの、或いは更にヒーターを併設した等ものがある。本出願人は、ヒーター及び回転フィルターを有する後者のタイプの加湿器を既に提案している。
【０００３】
そのものを図１２（右側面からみた断面図）及び図１３（背面からみた断面図）に示す。その概略を説明すると、加湿器１は、前壁１ａ、後壁１ｂ、左側壁１ｃ及び右側壁１ｄ等を有する左右方向に長い横断面略矩形状の機器で、内部は水平壁２及び垂直壁３により、領域Ｍ１〜領域Ｍ５に区画される。
【０００４】
領域Ｍ１は、右上部の後方に形成される領域で、ファンモータ４を有し、更にその領域を形成する後壁１ｂには吸気口５が設けられる。前記領域Ｍ２は、領域Ｍ１の前方に形成され、領域Ｍ１に連通する領域でシロッコファンからなる送風ファン６が配置される。また、送風ファン６の下方には、ヒーター７が設けられ、送風ファン６により送られる空気を加熱する。
【０００５】
前記領域Ｍ３は、加湿器１の下方の左右方向の広い範囲に亘って設けられ、領域Ｍ２に連通する領域で、収納トレー８に収納される回転フィルター９が設けられる。この回転フィルター９は、１本の回転軸に複数の円盤状の平板プレートを若干の隙間を有して組み付けてなり、フィルターモータ１０により回動され、収納トレー８内の水Ｗをかき上げる。ヒーター７により暖められた空気を回転フィルター９によってかき上げられた水に当てることにより、空気に水を加湿させ、その加湿された空気を下流側に送り、後記の吹出口１１から室内に供給する。
【０００６】
領域Ｍ４は、左上部の後方に形成される領域で、領域Ｍ３に連通し、加湿された空気を左上端部に設けられ、ルーバー１２を有する吹出口１１に送る。なお、領域Ｍ５は、図１３の右側壁１ｄの左側に突き出た部分で、図示しない水タンクが上下方向に配設される。
【０００７】
この加湿器１での空気の流れは、次のように行われる。即ち、送風ファン６が回動すると、空気は、右上部後方の後壁１ｂに設けられる吸気口５から白抜き矢印（１）で示すように導入される。導入された空気は、白抜き矢印（２）で示すように送風ファン６に送られ、該送風ファン６により白抜き矢印（３）で示すように下方に押し出される。
【０００８】
下方に押し出された空気は、送風ファン６の下方に位置するヒーター７に送られ、該ヒーター７により加熱される。加熱された空気は、白抜き矢印（４）で示すように領域Ｍ３の回転フィルタ９に送られ加湿される。
【０００９】
加湿された空気は、黒塗り矢印（５）で示すように左上部の後方に形成される領域Ｍ４に導入され、次いで、黒塗り矢印（６）で示すようにこの領域Ｍ４の通路を通って上方へ送られ、ルーバー１２を有する吹出口１１から黒塗り矢印（７）で示すように室内に供給される。このように上記加湿器１は全体がコンパクトに形成されており、持ち運びが容易であり利便性の高いものである（例えば、特許文献１参照）。
【００１０】
ところで、上記従来のものは、吹出口１１、送風ファン６、ヒーター７及び回転フィルター９のそれぞれの中心が、略同一面上になく、空気の流路が前後左右上下に紆余曲折しているため、どうしても抵抗が増える傾向にある。そのため、より加湿効率を向上させ、より騒音を低減する場合の障害になっていた。
【００１１】
また、上記従来のものは、ヒーター７、回転フィルター９及び吹出口１１の空気の通路幅についても特に考慮が払われていなかったため、流れが絞られたり広がったりする動作が交互に繰り返される等されていた。その結果抵抗が増え、上記と同様に、より加湿効率を向上させ、より騒音を低減する場合の障害になっていた。  
【特許文献１】特開２００６−３２９４６７
【発明の開示】
【発明が解決しようとする課題】
【００１２】
本願発明は、加湿空気量を増やし、騒音を低減することができる加湿器を提供することを目的とするものである。
【課題を解決するための手段】
【００１３】
上記目的を達成するため、本願発明は以下の構成を採用する。
【００１４】
請求項１に係る発明では、水タンクと、吹出口と、送風ファンと、ファンモータと、ヒーターと、回転フィルターと、フィルターモータを有する加湿器において、上から前記吹出口、前記送風ファン、前記ヒーター及び前記回転フィルターの順に配置し、前記送風ファン及び前記回転フィルターの回転軸を平行にし、前記吹出口と、前記送風ファンの排出口と、前記ヒーターの排出口と、前記回転フィルターの排出口との中心を、略同一面上にする構成。そしてこの構成により、各部材間に送風ファンからの風を効率よく送れる。また、風の流れが滑らかになり、騒音が低下する。
【００１５】
請求項２に係る発明では、、同一回転軸上に設けられるダブルシロッコファンである構成。そしてこのような簡単な構成により、より多くの風が送れる。
【００１６】
請求項３に係る発明では、前記ヒーターの排出口幅、前記回転フィルターの排出口幅及び前記吹出口幅を同じにするか、または記載される順に大きくする構成。そしてこの構成により、風の流れがより滑らかになり、騒音がより低下する。
【００１７】
請求項４に係る発明では、前記回転フィルターは複数の円盤状平板を隙間を有して並設してなり、前記隙間にブラシを挿入する構成。そしてこの構成により、回転フィルターが回転するとフィルター板に付着する水道水中のミネラル成分等が自動的に取り除かれる。
【発明の効果】
【００１８】
請求項１に係る発明では、上から吹出口、送風ファン、ヒーター及び回転フィルターの順にし、送風ファン及び回転フィルターの回転軸を平行にし、吹出口、送風ファン、ヒーター及び回転フィルターのそれぞれの中心を、略同一面上にすることにより、送風ファンにより送られる風を回転フィルターの各フィルター部材間に抵抗を受けることなく効率よく送ることができるようになり、加湿効率を向上することができるとともに、回転フィルターの回転方向を従来の２つの回転軸が直交するタイプのもの（図１２のもの参照：時計回り方向のみ）に比べフリーにすることができる。また、風の流れを滑らかにすることができるため、より加湿効率を向上することができるとともに、騒音を低減することができる。
【００１９】
請求項２に係る発明では、送風ファンを、同一回転軸上に設けられるダブルシロッコファンとすることにより、請求項１に係る発明の効果に加え、ダブルの送風ファンの配置並びに組み付けを容易に行うことができるとともに、加湿風量を増大することができ、加湿効率をより向上することができる。
【００２０】
請求項３に係る発明では、通路幅を、ヒーター、回転フィルター及び吹出口の全てを同じにするか、または記載される順に大きくすることにより、請求項１、２に係る発明の効果に加え、、風の流れをより滑らかにすることができ、加湿効率をより向上することができるとともに、騒音をより低下することができる。
【００２１】
請求項４に係る発明では、回転フィルターを、複数の円盤状平板を隙間を有して並設して形成し、円盤状平板間に形成される隙間にそれぞれブラシを挿入することにより、請求項１〜３に係る発明の効果に加え、回転フィルターの回転によりフィルター板に付着する水道水中のミネラル成分等を自動的に取り除くことができる。
【実施例】
【００２２】
図１は加湿器の全体斜視図を示し、図２は加湿器の平面図を示し、図３は加湿器の背面図を示し、図４は図２のIV−IV線断面図を示し、図５は図４のV−V線断面図を示し、図６は図２のVI−VI線断面図を示し、図７〜図９には回転フィルター、プレート及び軸の斜視図をそれぞれ示す。なお、加湿器の前後及び上下は図に示すとおりであり、左右方向は図３及び図４の左右方向をいう。
【００２３】
加湿器２０は、本体ケース２１と、該本体ケース２１の右方に載置される水タンク４５等からなる。本体ケース２１は樹脂製の部材であり、フロントケース２２、リアケース２３、トップケース２４及びボトムケース２５からなり、内部に設けられるファンケーシング２６、水平区画壁２７等により、領域Ｍ１〜Ｍ５が形成される。
【００２４】
領域Ｍ１は、本体ケース２１内の上方の左側に形成される領域で、内部にファンモータ２９を有する。また、領域Ｍ１は、リアケース２３により区画されるとともに、領域Ｍ１を区画するリアケース２３の左側コーナー部には図１〜図３に示すように多数の穴を有する吸気口３０が形成され、該吸気口３０にはエアーフィルター３１が配置される。
【００２５】
領域Ｍ２は、領域Ｍ１の右側でファンケーシング２６により形成され、領域Ｍ１と連通する領域で、内部にシロッコファンからなる送風ファン３２が配置される。送風ファン３２は、同じ形状のものを２個背中合わせにし、１本のファン回転軸３３に軸支され、ファンモータ２９により回動される。そして、それぞれの吸込口３４、３４は離れた反対側に設けられる。なお、送風ファンは全体として１製品として形成される。
【００２６】
送風ファン３２が回動すると吸気口３０から吸入される空気は、白抜き矢印（１）で示すように領域Ｍ１に導入し、白抜き矢印（２）で示すように領域Ｍ２に導入する。その際、吸入空気はファンモータ２９を冷却する。なお、このように１本のファン回転軸３３に送風ファン３２を２個並設することにより、送風ファン３２をコンパクトに配置することができ加湿器全体を小型化できるとともに、風量を増大することができる。
【００２７】
ファンケーシング２６は下方に２個の送風ファン３２に対応したファン排出口３５を有しており、送風ファン３２、３２からの空気を白抜き矢印（３）で示すように下方に押し出す。また、ファン排出口３５の下方には、トップケース２４の操作部３６に設けられるスイッチの操作により通電されるヒーター３７が配置され、ファン排出口３５から下方に押し出される空気を加熱し、その下端のヒーター排出口３７ａから排出する。
【００２８】
領域Ｍ３は、領域Ｍ１及びＭ２の下方に水平区画壁２７により形成される領域で、領域Ｍ２とファン排出口３５により連通し、送風ファン３２から押し出されヒーター３７により加熱される空気を白抜き矢印（４）で示すように導入する。
【００２９】
領域Ｍ３には、収納トレー３８が収納自在に配置される。収納トレー３８は、対向する垂直の右方隔壁３９及び左方隔壁４０との間に形成される収納容器部４１と、右方隔壁３９の右側に略水平に一体形成される貯水部４２とからなり、水タンク４５が領域Ｍ５に載置されない状態で図１の左方から右方に水平に押し込むことにより本体ケース２１の下方に収納され、収納された状態では、収納容器部４１は本体ケース２１内の領域Ｍ３に位置し、貯水部４２は本体ケース２１の領域Ｍ５の下方に位置する。
【００３０】
右方隔壁３９及び左方隔壁４０には、図示しないＵ字状溝の軸受がそれぞれ形成されており、それら軸受には、後記する回転フィルター６０のフィルター回転軸６３が回動自在に軸支される。回転フィルター６０により加湿された空気は、フィルター排出口６０ａより送風ファン３２の後方に形成される領域Ｍ４に排出される。
【００３１】
なお、ファンケーシング２６の下方には、区画壁２６ａ（図６参照）を回転フィルター６０の上端近傍にまで垂下させ、この区画壁２６ａの下端部をフィルター排出口６０ａの上端部としている。そして、この区画壁２６ａは、ファン回転軸３３とフィルター回転軸６３とを結ぶ線Ｑ−Ｑより加湿器２０の前面側、空気の流れでいえば上流側にずらして設けられる。区画壁２６ａを上流側にずらして設けることにより、空気が滞留する上流側のデッドスペース空間２６ｂを小さくすることができるとともに、フィルター排出口６０ａを大きくし、加湿空気の流れを滑らかにすることができる。
【００３２】
領域Ｍ４は、図６に示すようにファンケーシング２６により本体ケース２１の後方に形成される上下に延設する領域であり、その下方は領域Ｍ３に連通し、上方はトップケース２４に形成される吹出口４３に連通する。そして、領域Ｍ３で加湿された空気を黒塗り矢印（５）及び（６）で示すように吹出口４３から外部に吐出する。
【００３３】
前記収納容器部４１の右方に一体に形成される貯水部４２の上方空間が領域Ｍ５である。領域Ｍ５は略半円形で水タンク４５が載置される。この水タンク４５は、下端部に弁４６を内設したキャップ４７を有し、上端部に取手４８を有する円筒状の透明容器であり、内部に水を入れキャップ４７が貯水部４２に位置するように取手４８を持って領域Ｍ５に載置する。領域Ｍ５を形成する本体ケース２１は、直線状のガイド４９として形成されており、領域Ｍ５に水タンク４５を載置した際、直線状ガイド４９が略半円弧状の水タンク４５背面の直線部が面接触し水タンク４５を安定的に支持する。
【００３４】
貯水部４２には、水タンク４５のキャップ４７に内設する弁４６を開放するため突起５０、安全装置としてのフロートスイッチ５１、及び貯水部４２と収納容器部４１とを連通する連絡口５２が設けられる。
【００３５】
水タンク４５が貯水部４２に載置されると、突起５０により弁４６が開放し所定量の水が貯水部４２に流出する。貯水部４２に流出した水の一部は、連絡口５２を介して収納容器部４１内に流入し、貯水部４２に流出する水の高さと同じ高さまで収納容器部４１内に水を供給する。
【００３６】
符号６０は回転フィルターである。回転フィルター６０は、図４及び図７に示すように複数のプレート６１、２枚のカバープレート６２ａ、６２ｂ、フィルター回転軸６３及びフィルターギヤ６４等からなる。図８にプレート６１の表面斜視図を示し、図９にフィルター回転軸６３の斜視図を示す。
【００３７】
プレート６１は樹脂製の円盤状部材であり、両表面に水の付着性を高めるためのシボ加工が施される。その中央には、軸孔６５が形成されるとともに、該軸孔６５には９０度間隔で放射状に等長の切溝６６が形成される。更に軸孔６５の回りには同一円周上で切溝６６の部分が欠落した高さｈの４個の円弧状突起６７が形成される。なお、プレート６１は少なくとも３枚以上にする。
【００３８】
カバープレート６２ａ、６２ｂは、プレート６１と同形の樹脂製の円盤状部材であり、それぞれ回転フィルター６０の両端部に配置される。フィルターギヤ６４側に位置するカバープレート６２ａは、軸孔６５及び切溝６６と同じものが形成され、フィルターギヤ６４と反対側に位置するカバープレート６２ｂの軸孔６５の内周面には図示しない雌ネジが形成される。
【００３９】
フィルター回転軸６３は、樹脂製の円柱状部材であり図９にその全体を示すように、軸心方向のほぼ全体にプレート６１の切溝６６が嵌合する４本のレール状突起６３ａが放射方向に等間隔に形成される。また、フィルター回転軸６３の一端には小径のギヤ取付部６３ｂ及びビス穴６３ｃが形成され、その他端には雄ネジ６３ｅを有する大径のカバープレート取付部６３ｄが形成される。
【００４０】
そしてフィルター回転軸６３のレール状突起６３ａの部分にはプレート６１が順次嵌合され、フィルターギヤ６４側の端部にはカバープレート６２ａが嵌合され、更にその外側の小径のギヤ取付部６３ｂには図７に示すようなフィルターギヤ６４が嵌合されビスで固定される。また、フィルターギヤ６４と反対側である大径のカバープレート取付部６３ｄには、カバープレート６２ｂがカバープレート取付部６３ｄの雄ネジ６３ｅに自身の雌ネジを螺合することにより固定される。
【００４１】
フィルターギヤ６４は、図７に示すように円周上に等ピッチで複数の歯車を有するギヤであり、回転フィルター６０が所定位置に取り付けられた後では、図４に示すようにフィルターモータ５３により回動されるモータギヤ５４に係合し回動される。
【００４２】
プレート６１のフィルター回転軸６３への取り付けは次のように行われる。まず、フィルター回転軸６３のカバープレート取付部６３ｄにカバープレート６２ｂを螺合する。次いでプレート６１を順次嵌合する。プレート６１の嵌合は、全てのプレート６１の表裏方向を同じにする。その場合、表面には円弧状突起６７が設けられているため方向の判別を容易に行うことができる。
【００４３】
このようにプレート６１の表面側の円弧状突起６７は、位置決め用として用いられるため分解後のプレート６１の組み立てを容易にすることができる。また、プレート６１の切溝６６はフィルター回転軸６３のレール状突起６３ａにキー係合することにより、プレート６１の空回転が防止され、例えプレート６１の一部を紛失或いは破損しプレート６１間に余分な隙間ができたとしてもプレート６１をフィルター回転軸６３に連動して回動することができるため従来とほぼ同様な加湿効果を維持することができる。
【００４４】
全てのプレート６１を同方向で嵌合後、端部カバーであるカバープレート６２ａを嵌合し、その後フィルターギヤ６４をビスにより固定し、回転フィルター６０を形成する。プレート６１の円弧状突起６７は、同じ高さであるため、組み立て後は円弧状突起６７が対向するプレート６１の裏面に当接し、各プレート６１間には高さｈ、即ち、略３ｍｍの隙間が形成される。プレート６１等をこのような形状にすることにより、プレート６１が破損したり、或いはプレート６１等に水中に含まれるミネラル等が付着したとしても回転フィルター６０を分解して容易に洗浄することができ、且つその後の組み立ても容易に行うことができる。
【００４５】
なお、プレート６１の表面積を増やし、水の付着量を増大させ水の気化量を増大するためプレート６１の表面にはシボ加工を施すと説明したが、表面積をより大きくする突起及び溝等の凹凸を設けてもよく、穴を複数設けても、その表面にゼオライトを設けてもよい。
【００４６】
組み立て後に回転フィルター６０は収納トレー３８の収納容器部４１内に収納される。その際、右方隔壁３９に形成される軸受にカバープレート６２ｂの軸を軸支し、左方隔壁４０に形成される軸受にフィルターギヤ６４の後面に形成される軸を軸支する。回転フィルター６０はフィルターモータ５３により約４回／分で回転される。
【００４７】
収納容器部４１内には、貯水部４２より水が導入されており、回転フィルター６０のプレート６１は、略１／３が水の下面になるような状態となる。そして略４回／分で回転される。この場合、回転フィルター６０の回転方向はどちら回りでもよい。
【００４８】
ファン回転軸３３とフィルター回転軸６３とを平行に配置することにより、送風ファン３２により送られ、ヒーター３７により加熱された空気は、図６で白抜きの矢印（４）で示す方向、即ち回転フィルター６０の略半径方向に導入される。加熱空気の流れを回転フィルター６０の略半径方向に導入することにより、プレート６１での圧力損失を小さくでき、領域Ｍ３から領域Ｍ４への流れ、即ち加湿された空気である黒塗りの矢印（５）への流れを滑らかにすることができる。
【００４９】
このようにプレート６１での圧力損失が小さいため、回転フィルター６０の回転方向をフリー、即ち時計方向或いは反時計方向のどちら回りにもできる。また、加熱空気は、プレート６１の表裏面のほぼ全体に当たるようになるため、プレート６１の表裏面を湿潤するより多くの水を蒸発させ空気に加湿することができるようになる。
【００５０】
組立後の加湿器２０の各部材は、図４に示されるように、上から吹出口４３、送風ファン３２、ヒーター３７及び回転フィルター６０の順に配置し、更に、送風ファン３２のファン回転軸３３と回転フィルター６０のフィルター回転軸６３とは同一方向で平行に配置するとともに、吹出口４３の左右方向の中心と、送風ファン３２のファン排出口３５の左右方向の中心と、ヒーター３７のヒーター排出口３７ａの左右方向の中心と、回転フィルター６０のフィルター排出口６０ａの左右方向の中心を、略同一面（図４でのＰ−Ｐ線面参照）上に配置する。
【００５１】
このような配置により、送風ファン３２からの空気は、前方且つ下方のヒーター３７に流れ、ヒーター３７から中央且つ下方の回転フィルター６０に流れ、回転フィルター６０から後方且つ上方の吹出口４３に流れるというように、ほぼ前後上下の流れのみになる。そのため、従来の前後左右上下の流れに比べ、抵抗が少なくなり、その分加湿効率を向上することができる。
【００５２】
また、送風ファンからの空気が流れる通路幅（図４での左右方向の長さ）を、ヒーター排出口３７ａの通路幅、フィルター排出口６０ａの通路幅及び吹出口４３の通路幅の順に大きくしてあり、このような大きさになっていない従来のものに比べ、抵抗が少なくなり、その分加湿効率が向上する。なお、ヒーター排出口３７ａの通路幅、フィルター排出口６０ａの通路幅及び吹出口４３の通路幅の全てを同じ大きさにしてもよい。
【００５３】
加湿運転時の作用について説明する。回転フィルター６０を組み付け収納容器部４１に収納した後、収納トレー３８を図１でいえば左方から領域Ｍ３内に嵌め込む。その後、水を入れた水タンク４５を領域Ｍ５に載置する。すると貯水部４２及び収納容器部４１に水が供給され、回転フィルター６０の略１／３は水没する。
【００５４】
次いで、操作部３６のスイッチをオンすると送風ファン３２が回転し、ヒーター３７が加熱する。すると吸気口３０から空気が白抜きの矢印（１）、（２）で示すように導入され、導入された空気は白抜きの矢印（３）で示すように送風ファン３２によりにファン排出口３５に押し出されるとともに、ヒーター３７により加熱され、ヒーター排出口３７ａから白抜きの矢印（４）で示すように領域Ｍ３に供給される。
【００５５】
加熱された空気は、領域Ｍ３で回転フィルター６０のプレート６１間の隙間に流入する。プレート６１間のプレート６１の表面は、湿潤されており、その表面に加熱空気が当たることにより湿潤している水が気化乃至蒸気化して加湿空気となる。蒸気化した加湿空気は、黒塗りの矢印（５）で示すように領域Ｍ４に流れ、領域Ｍ４を上昇し、黒塗りの矢印（６）で示すようにトップケース２４に設けられる吹出口４３より室内に供給される。
【００５６】
ところで、水中にはミネラル成分等が混入しており、プレート６１の表面に付着する。この付着したミネラル成分等を自動的に除去できる装置を図１０及び図１１に示す。この装置はブラシを用いるものである。図１０にブラシを取り付けた断面を示し、図１１（Ａ）に図１０でIX−IX線方向にみた図を示し、図１１（Ｂ）に取付時の一部拡大面を示す。
【００５７】
回転フィルター６０を入れる収納容器部４１の底部にブラシ取付板７０が配置される。このブラシ取付板７０は、平面視矩形状の板部材で、その一方側の矩形領域には、細線を複数本、例えば９本集めて一体にしたブラシ束７１を所定幅離してマトリックス状に配置してなるブラシＢが形成される。そして、その矩形状のブラシＢの短辺方向（図１１（Ａ）の横方向）を「行」とした場合、行と行との間にはそれぞれプレート６１が入り込むように取り付けられる。
【００５８】
その一部の状態を図１１（Ｂ）に示す。即ち、プレート６１の隙間にはブラシＢの各行が挿入される。そのためプレート６１が回転すると、プレート６１の表面に付着したミネラル成分等はかき落とされることになる。この場合、プレート６１とブラシ束７１との接触はプレート６１の回転にとってあまり抵抗とならない接触にする。なお、個々のブラシ束７１はプレート６１の表面に付着した水をもかき落とすため、ブラシＢの一部或いは全部を水中に配置するとよい。
【００５９】
本願発明は、上記実施例の構成に限定されるものではなく、発明の要旨を逸脱しない範囲において適宜設計変更可能である。
【図面の簡単な説明】
【００６０】
【図１】本願発明の加湿器の全体斜視図
【図２】本願発明の加湿器の平面図
【図３】本願発明の加湿器の背面図
【図４】図２のIV−IV線断面図
【図５】図４のV−V線断面図
【図６】図２のVI−VI線断面図
【図７】本願発明の回転フィルターの斜視図
【図８】本願発明の回転フィルターのプレートの斜視図
【図９】本願発明の回転フィルターの軸の斜視図
【図１０】本願発明の他の加湿器の断面図
【図１１】図１１（Ａ）は図１０のIX−IX矢視図、図１１（Ｂ）は図１１（Ａ）の一部拡大断面図
【図１２】従来の加湿器を側面方向からみた断面図
【図１３】図１２と同じ従来の加湿器を背面方向からみた断面図
【符号の説明】
【００６１】
２０…加湿器                  ２１…本体ケース
２２…フロントケース          ２３…リアケース
２４…トップケース            ２５…ボトムケース
２６…ファンケーシング        ２６ａ…区画壁
２６ｂ…デッドスペース空間    ２７…水平区画壁
２９…ファンモータ            ３０…吸気口
３１…エアーフィルター        ３２…送風ファン
３３…ファン回転軸            ３４…吸込口
３５…ファン排出口            ３６…操作部
３７…ヒーター                ３７ａ…ヒーター排出口
３８…収納トレー              ３９…右方隔壁
４０…左方隔壁                ４１…収納容器部
４２…貯水部                  ４３…吹出口
４５…水タンク                ４６…弁
４７…キャップ                ４８…取手
４９…直線状ガイド            ５０…突起
５１…フロートスイッチ        ５２…連絡口
５３…フィルターモータ        ５４…モータギヤ
６０…回転フィルター          ６０ａ…フィルター排出口
６１…プレート                ６２ａ，６２ｂ…カバープレート
６３…フィルター回転軸        ６３ａ…レール状突起
６３ｂ…ギヤ取付部            ６３ｃ…ビス穴
６３ｄ…カバープレート取付部  ６３ｅ…雄ネジ
６４…フィルターギヤ          ６５…軸孔
６６…切溝                    ６７…円弧状突起
７０…ブラシ取付板            ７１…ブラシ束
【図１】
2009264616.tif 000003
【図２】
2009264616.tif 000004
【図３】
2009264616.tif 000005
【図４】
2009264616.tif 000006
【図５】
2009264616.tif 000007
【図６】
2009264616.tif 000008
【図７】
2009264616.tif 000009
【図８】
2009264616.tif 000010
【図９】
2009264616.tif 000011
【図１０】
2009264616.tif 000012
【図１１】
2009264616.tif 000013
【図１２】
2009264616.tif 000014
【図１３】
2009264616.tif 000015
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
水タンクと、吹出口と、送風ファンと、ファンモータと、ヒーターと、回転フィルターと、フィルターモータを有する加湿器において、
上から前記吹出口、前記送風ファン、前記ヒーター及び前記回転フィルターの順に配置し、
前記送風ファン及び前記回転フィルターの回転軸を平行にし、
前記吹出口と、前記送風ファンの排出口と、前記ヒーターの排出口と、前記回転フィルターの排出口との中心を、略同一面上にすることを特徴とする加湿器。
【請求項２】
前記送風ファンは、同一回転軸上に設けられるダブルシロッコファンであることを特徴とする請求項１に記載の加湿器。
【請求項３】
前記ヒーターの排出口幅、前記回転フィルターの排出口幅及び前記吹出口幅を同じにするか、または記載される順に大きくすることを特徴とする請求項１または２に記載の加湿器。
【請求項４】
前記回転フィルターは複数の円盤状平板を隙間を有して並設してなり、前記隙間にブラシを挿入することを特徴とする請求項１ないし３のいずれか一に記載の加湿器。